(57)【要約】【課題】選択したタイミングでのみ原稿台を清掃できるようにする。【解決手段】画像読取装置１０は、第１原稿台１１、光源ユニット１３、クリーニングユニット７０、変位機構部８０、温度センサ９１、湿度センサ９２、及び制御部９０を備える。光源ユニット１３は、第１原稿台１１の下方を副走査方向Ｘに移動する。クリーニングユニット７０は、クリーニング部材７２を有し、光源ユニット１３に搭載される。変位機構部８０は、接触位置と離間位置との間でクリーニングユニット７０を変位させる。制御部９０は、温度センサ９１及び湿度センサ９２の検出結果に基づいて清掃をする必要があると判定した場合にのみクリーニングユニット７０を接触位置に配置させる。【選択図】図３
2016218332.tif 000002
【特許請求の範囲】
【請求項１】
原稿台と、
前記原稿台の下方を前記原稿台に沿って移動しつつ前記原稿台上の原稿に光を照射する光源ユニットと、
前記光源ユニットから発せられて前記原稿に反射された光が結像する画像センサと、
前記原稿台の下面をクリーニングするクリーニング部材を有して前記光源ユニットに搭載されたクリーニングユニットと、
前記クリーニング部材が前記下面に接触する接触位置と離間する離間位置との間で前記クリーニングユニットを変位させる変位機構部と、
前記クリーニングユニットを前記接触位置に配置させるトリガー信号を出力する信号出力部と、
前記トリガー信号が入力した場合に前記クリーニングユニットが前記接触位置に配置されるように前記変位機構部を駆動させる制御部と、を備える画像読取装置。
【請求項２】
前記クリーニングユニットは、前記下面に塗布するためのクリーニング液を吐出する吐出機構部をさらに有する、請求項１に記載の画像読取装置。
【請求項３】
前記吐出機構部は、前記下面へ前記クリーニング液を噴射する、請求項２に記載の画像読取装置。
【請求項４】
前記吐出機構部は、前記クリーニング液を前記クリーニング部材に浸み込ませる、請求項２に記載の画像読取装置。
【請求項５】
前記信号出力部は、前記画像読取装置の内部の環境情報を検出する検出センサである、請求項１から４のいずれかに記載の画像読取装置。
【請求項６】
前記信号出力部は、前記クリーニングユニットを前記接触位置に配置させる旨の入力操作を受け付ける操作部である、請求項１から４のいずれかに記載の画像読取装置。
【発明の詳細な説明】
【技術分野】
【０００１】
この発明は、原稿台上の原稿の画像を原稿台の下方から読み取るように構成された画像読取装置に関する。
【背景技術】
【０００２】
複写機及びファクシミリ装置等に用いられる画像読取装置の中には、原稿台上の原稿に原稿台の下方から光を照射し、原稿に反射された光を光電変換することで画像データを生成するものがある。このような画像読取装置では、原稿台が塵埃の付着や結露等によって汚れていないことが重要である。
【０００３】
そこで、原稿台上の原稿を露光しつつ副走査方向に移動する光源ユニットを備え、光源ユニットにクリーニング部材としてクリーナブラシを搭載し、光源ユニットが副走査方向に往復移動する度に原稿台の下面をクリーニング部材で清掃するように構成された画像読取装置が提案されている（例えば、特許文献１参照。）。
【先行技術文献】
【特許文献】
【０００４】
【特許文献１】特開平１０−２４３１７０号公報
【発明の概要】
【発明が解決しようとする課題】
【０００５】
しかし、特許文献１に記載の従来の画像読取装置では、光源ユニットの往復移動の度にクリーニング部材が原稿台を清掃するように構成されているので、不必要なときにも原稿台を清掃してしまう。不必要なときにも清掃すると、クリーニング部材が無駄に摩耗する。
【０００６】
この発明の目的は、選択したタイミングでのみ原稿台を清掃できる画像読取装置を提供することにある。
【課題を解決するための手段】
【０００７】
この発明の画像読取装置は、原稿台、光源ユニット、画像センサ、クリーニングユニット、変位機構部、信号出力部、及び制御部を備える。光源ユニットは、原稿台の下方を原稿台に沿って移動しつつ原稿台上の原稿に光を照射する。画像センサに、光源ユニットから発せられて原稿に反射された光が結像する。クリーニングユニットは、原稿台の下面をクリーニングするクリーニング部材を有して光源ユニットに搭載される。変位機構部は、クリーニング部材が前記下面に接触する接触位置と離間する離間位置との間でクリーニングユニットを変位させる。信号出力部は、クリーニングユニットを接触位置に配置させるトリガー信号を出力する。制御部は、トリガー信号が入力した場合にクリーニングユニットが接触位置に配置されるように変位機構部を駆動させる。
【０００８】
この構成では、トリガー信号が入力したタイミングでクリーニング部材が原稿台の下面に接触するので、この状態で光源ユニットが原稿台に沿って移動することで、原稿台の下面が清掃される。一方、トリガー信号が入力しない場合はクリーニング部材は原稿台から離間しているので、この状態で光源ユニットが原稿台に沿って移動しても原稿台の下面は清掃されない。このため、原稿台の下面を、清掃する必要があるタイミングでのみ、清掃することができる。
【０００９】
上述の構成において、クリーニングユニットは、前記下面に塗布するためのクリーニング液を吐出する吐出機構部をさらに有することが好ましい。
【００１０】
この構成では、原稿台の下面にクリーニング液を塗布し、さらにクリーニング液をクリーニング部材で原稿台の下面に塗り拡げることができる。このため、原稿台の下面をより高度に清掃することができる。また、クリーニング液として結露防止剤を用いることで長期間にわたって結露を抑制することができる。
【００１１】
また、吐出機構部は、前記下面へクリーニング液を噴射するように構成することができる。
【００１２】
この構成では、クリーニング液を原稿台の下面へ直接的に付着させることができる。原稿台の下面に噴射されたクリーニング液は、クリーニング部材が原稿台の下面に接触しつつ移動することで、原稿台の下面に均一に塗り拡げられる。
【００１３】
さらに、吐出機構部は、クリーニング液をクリーニング部材に浸み込ませるように構成することができる。
【００１４】
この構成では、クリーニング液を原稿台の下面へクリーニング部材を介して間接的に付着させることができる。クリーニング液は、クリーニング部材が原稿台の下面に接触しつつ移動することで、原稿台の下面に均一に塗り拡げられる。
【００１５】
また、信号出力部は、画像読取装置の内部の環境情報を検出する検出センサであるように構成することができる。
【００１６】
この構成では、画像読取装置の内部に塵埃が多いことや、画像読取装置の内部が原稿台の下面に結露しやすい環境であることが、検出センサによって検出された場合にトリガー信号が出力され、クリーニング部材が原稿台の下面に接触し、原稿台の下面が清掃される。このように、原稿台の下面が汚れやすい環境であることが検出センサによって自動的に検出されて、検出センサの検出結果に基づいて選択されたタイミング即ち清掃の必要があると判断されたタイミングでのみ清掃が実行される。
【００１７】
さらに、信号出力部は、クリーニングユニットを接触位置に配置させる旨の入力操作を受け付ける操作部であるように構成することができる。
【００１８】
この構成では、ユーザの入力操作によって、ユーザが選択したタイミングで清掃が実行される。
【発明の効果】
【００１９】
この発明によれば、選択したタイミングでのみ原稿台を清掃することができる。
【図面の簡単な説明】
【００２０】
【図１】この発明の第１実施形態に係る画像読取装置を搭載した画像形成装置の概略の構成図である。
【図２】画像読取装置の斜視図である。
【図３】画像読取装置の一部の断面図である。
【図４】画像読取装置のクリーニングユニット及び変位機構部の斜視図である。
【図５】（Ａ）及び（Ｂ）はクリーニングユニットが離間位置に配置された状態を示し、（Ａ）は正面図、（Ｂ）は側面図であり、（Ｃ）及び（Ｄ）はクリーニングユニットが接触位置に配置された状態を示し、（Ｃ）は正面図、（Ｄ）は側面図である。
【発明を実施するための形態】
【００２１】
図１及び図２に示すように、第１実施形態に係る画像読取装置１０を搭載した画像形成装置１００は、装置本体１１０、及び自動原稿搬送装置（ＡＤＦ:Automatic Document Feeder）１２０を備えている。画像形成装置１００は、原稿から生成した画像データ又は外部から入力した画像データに基づいて、用紙に多色又は単色の画像を形成する。用紙として、普通紙、印画紙、ＯＨＰフィルム等のシート状の記録媒体が挙げられる。
【００２２】
装置本体１１０は、画像読取装置１０、画像形成部１４０、及び給紙部１５０を備えている。
【００２３】
画像読取装置１０は、装置本体１１０の上部に配置されている。画像読取装置１０は、第１原稿台１１、第２原稿台１２、光源ユニット１３、ミラーユニット１４、結像レンズ１５、及び画像センサ１６を備えている。例えば、画像センサ１６として、ＣＣＤ（Charge Coupled Device）が用いられる。第１原稿台１１及び第２原稿台１２は、画像読取装置１０の上面に配置されている。
【００２４】
ＡＤＦ１２０は、装置本体１１０の上に配置され、原稿積載トレイ１２１、原稿排出トレイ１２２、及び原稿搬送路１２３を備えている。
【００２５】
原稿搬送路１２３は、原稿積載トレイ１２１から第２原稿台１２の上面を経由して原稿排出トレイ１２２へ至るようにＵ字状に形成されている。
【００２６】
ＡＤＦ１２０は、原稿搬送路１２３に沿って原稿を１枚ずつ搬送する。ＡＤＦ１２０は、第１原稿台１１の上面を開閉自在に被覆するように、背面側端部を装置本体１１０に軸支されることで前面側端部が上下方向に回動するように構成されている。前面側端部が上方に移動するようにＡＤＦ１２０を回動させて第１原稿台１１の上面を露出させることにより、ＡＤＦ１２０を用いずに手動操作によって第１原稿台１１に原稿を載置することができる。
【００２７】
第１原稿台１１及び第２原稿台１２は、ともに硬質ガラス板によって構成されている。
【００２８】
光源ユニット１３及びミラーユニット１４は、第１原稿台１１及び第２原稿台１２の下方において、第１原稿台１１及び第２原稿台１２に沿って副走査方向Ｘに移動自在に構成されている。光源ユニット１３は、副走査方向Ｘにおいて、画像読取装置１０の略全域を移動する。ミラーユニット１４は、副走査方向Ｘにおいて、画像読取装置１０における第２原稿台１２が配置された方の端部と略中央部との間の領域を移動する。ミラーユニット１４の移動速度は、光源ユニット１３の移動速度の１／２である。図３に示すように、光源ユニット１３は、光源１３１及び第１ミラー１３２を搭載している。光源１３１は、拡散光を発する。ミラーユニット１４は、第２ミラー１４１及び第３ミラー１４２を搭載している。
【００２９】
ＡＤＦ１２０によって搬送される原稿の画像を読み取る搬送原稿読取モードにおいて、光源ユニット１３は、第２原稿台１２の下方に停止している。第２原稿台１２は、原稿搬送路１２３の一部を構成している。
【００３０】
光源１３１から発せられた光は、第２原稿台１２を通して原稿搬送路１２３内へ向けて照射される。光源１３１から発せられた光は、第２原稿台１２上を通過する原稿に照射され、原稿に反射された光が第１ミラー１３２によってミラーユニット１４へ向けて反射される。
【００３１】
第１原稿台１１に載置された原稿の画像を読み取る固定原稿読取モードにおいて、光源ユニット１３及びミラーユニット１４は、第１原稿台１１の下方を副走査方向Ｘに移動する。光源１３１から発せられた光は、第１原稿台１１上に載置された原稿に向けて照射され、原稿に反射された光が第１ミラー１３２によってミラーユニット１４へ向けて反射される。
【００３２】
搬送原稿読取モード及び固定原稿読取モードのいずれかに拘わらず、原稿に反射された光は、光路長を一定にして、第２ミラー１４１及び第３ミラー１４２によって結像レンズ１５を経由して画像センサ１６に入射する。
【００３３】
画像センサ１６は、入射した光を光電変換して電気信号を出力する。この電気信号は、制御部７０に入力し、画像データが生成される。このようにして、画像読取装置１０は、原稿の画像を読み取って画像データを生成する。制御部７０は、必要に応じて画像データを画像形成部１４０へ出力する。
【００３４】
画像形成部１４０は、光走査装置３、４個の画像形成ステーション２０Ａ，２０Ｂ，２０Ｃ，２０Ｄ、中間転写ユニット３０、二次転写ユニット４０、定着装置５０、及び用紙排紙トレイ６２を備え、用紙に電子写真方式の画像形成処理を行う。
【００３５】
中間転写ユニット３０は、中間転写ベルト３１、駆動ローラ３２、従動ローラ３３、及び一次転写ローラ５Ａ，５Ｂ，５Ｃ，５Ｄを有している。中間転写ベルト３１は、駆動ローラ３２及び従動ローラ３３によって張架されてループ状の移動経路を形成している。
【００３６】
画像形成ステーション２０Ａ〜２０Ｄは、中間転写ベルト３１の移動経路に沿って一列に配置されている。画像形成ステーション２０Ａ〜２０Ｄは、ブラック、シアン、マゼンタ及びイエローの色相のトナー像をそれぞれ形成する。画像形成ステーション２０Ｂ〜２０Ｄは、画像形成ステーション２０Ａと実質的に同様に構成されている。
【００３７】
ブラックの画像形成ステーション２０Ａは、感光体ドラム１Ａ、帯電器２Ａ、及び現像装置４Ａを備えている。
【００３８】
感光体ドラム１Ａは、所定方向に回転する。帯電器２Ａは、感光体ドラム１Ａの周面を所定の電位に帯電させる。光走査装置３は、画像データによって変調されたレーザ光で感光体ドラム１Ａの周面を露光することで、感光体ドラム１Ａの周面に静電潜像を形成する。現像装置４Ａは、感光体ドラム１Ａの周面にトナーを供給し、静電潜像をトナー像に顕像化する。
【００３９】
中間転写ベルト３１の外周面は、感光体ドラム１Ａ〜１Ｄの周面に対向している。中間転写ベルト３１を挟んで感光体ドラム１Ａ〜１Ｄに対向する位置に、一次転写ローラ５Ａ〜５Ｄがそれぞれ配置されている。中間転写ベルト３１と感光体ドラム１Ａ〜１Ｄとが対向する位置のそれぞれが、一次転写位置である。
【００４０】
一次転写ローラ５Ａ〜５Ｄに一次転写バイアスが印加されることで、感光体ドラム１Ａ〜１Ｄのそれぞれの周面に形成された各色相のトナー像が、中間転写ベルト３１の外周面に順次重ねて一次転写される。
【００４１】
中間転写ベルト３１の外周面に一次転写されたトナー像は、中間転写ベルト３１の回転によって、中間転写ベルト３１と、二次転写ユニット４０に備えられた二次転写ローラ４１との対向位置である二次転写位置へ搬送される。
【００４２】
給紙部１５０は、給紙カセット１５１、手差しトレイ１５２、及び用紙搬送路６１を備えている。給紙カセット１５１は、装置本体１１０の底部に配置されている。
【００４３】
用紙搬送路６１は、給紙カセット１５１及び手差しトレイ１５２のそれぞれから、二次転写位置及び定着装置５０を経由して、用紙排紙トレイ６２へ至るように、大部分が上下方向に形成されている。
【００４４】
給紙部１５０から給紙された用紙が二次転写位置を経由する際に、二次転写ローラ４１に二次転写バイアスが印加されることで、中間転写ベルト３１の外周面に担持されたトナー像が、用紙に二次転写される。
【００４５】
トナー像を転写された用紙は、定着装置５０へ搬送される。定着装置５０は、定着ローラ５１及び加圧ローラ５２を備え、定着ローラ５１と加圧ローラ５２との間を通過する用紙を加熱及び加圧することで、用紙にトナー像を定着させる。トナー像が定着した用紙は、トナー像が定着した面を下にして用紙排紙トレイ６２上へ排出される。
【００４６】
図３及び図４に示すように、光源ユニット１３は、ガイドレール１３３に沿って副走査方向Ｘに移動自在に構成されている。ミラーユニット１４は、ガイドレール１４３に沿って副走査方向Ｘに移動自在に構成されている。
【００４７】
画像読取装置１０は、クリーニングユニット７０、変位機構部８０、制御部９０、温度センサ９１、及び湿度センサ９２をさらに備えている。
【００４８】
クリーニングユニット７０は、第１原稿台１１に対する離接方向に変位自在に、光源ユニット１３に搭載されている。
【００４９】
クリーニングユニット７０は、本体部７１、クリーニング部材７２、タンク収容部７３、ホース７４、複数の吐出部７５、及び複数の棒体７６を有している。
【００５０】
クリーニング部材７２は、本体部７１の第１原稿台１１に対向する面に、長手方向が主走査方向Ｙに平行となるように設けられている。クリーニング部材７２は、主走査方向Ｙにおいて、第１原稿台１１の略全域に対向している。一例として、クリーニング部材７２は、モケットで構成されている。
【００５１】
タンク収容部７３は、本体部７１に支持されている。タンク収容部７３は、タンク及びポンプを収容している。タンクは、クリーニング液を収容している。一例として、クリーニング液は、第１原稿台１１の結露防止剤である。
【００５２】
吐出部７５は、本体部７１の第１原稿台１１に対向する面であって副走査方向Ｘにおいてクリーニング部材７２に隣接する位置に設けられている。複数の吐出部７５は、主走査方向Ｙにおいて第１原稿台１１に対向する領域内で均等配置されていることが好ましい。複数の吐出部７５とタンク７３とは、ホース７４でつながれている。ポンプが駆動することで、タンク内のクリーニング液がホース７４を通って吐出部７５のそれぞれから、第１原稿台１１へ向けて噴射される。
【００５３】
タンク収容部７３、ホース７４、及び複数の吐出部７５は、第１原稿台１１の下面に塗布するためのクリーニング液を吐出する吐出機構部を構成している。
【００５４】
棒体７６は、本体部７１の一方の側面から副走査方向Ｘへ延出している。複数の棒体７６は、本体部７１をバランス良く支持できるように、主走査方向Ｙに略均等配置されていることが好ましい。
【００５５】
変位機構部８０は、ラック８１、ピニオンギヤ８２、及び駆動モータ８３を備えている。変位機構部８０は、光源ユニット１３に搭載されている。駆動モータ８３は、光源ユニット１３に固定されている。ピニオンギヤ８２は、駆動モータ８３から駆動力を供給されることで回転する。
【００５６】
ラック８１は、主走査方向Ｙに変位自在かつ第１原稿台１１に対する離接方向への変位を規制されるように光源ユニット１３に支持されている。ラック８１は、下面の少なくとも一部に歯部８１１を有している。歯部８１１は、ピニオンギヤ８２の歯部と噛み合う。駆動モータ８３が駆動することで、ラック８１は、主走査方向Ｙに変位する。
【００５７】
ラック８１は、第１原稿台１１に対向する上面に、複数の段部を有している。段部のそれぞれは、底面８１２、傾斜面８１３、及び高台面８１４から構成されている。傾斜面８１３の下側端部に底面８１２が隣接し、上側端部に高台面８１４が隣接している。段部は、棒体７６と同数だけ、棒体７６に対応する位置に設けられている。
【００５８】
図５（Ａ）及び図５（Ｂ）に示すように、棒体７６が底面８１２に支持されている状態では、クリーニングユニット７０は、クリーニング部材７２が第１原稿台１１に接触しない離間位置に配置される。一方、図５（Ｃ）及び図５（Ｄ）に示すように、ピニオンギヤ８２が回転してラック８１が主走査方向Ｙに変位し、棒体７６が底面８１２から傾斜面８１３を上って高台面８１４まで摺動して高台面８１４に支持された状態では、クリーニングユニット７０は、クリーニング部材７２が第１原稿台１１に接触する接触位置に配置される。
【００５９】
クリーニングユニット７０が接触位置に配置された状態で光源ユニット１３が副走査方向Ｘに移動することで、第１原稿台１１の下面が主走査方向Ｙ及び副走査方向Ｘの全域にわたってクリーニング部材７２によって清掃される。
【００６０】
一方、クリーニングユニット７０が離間位置に配置された状態では、光源ユニット１３が副走査方向Ｘに移動しても、クリーニング部材７２が第１原稿台１１に接触しておらず、第１原稿台１１の下面は清掃されない。
【００６１】
温度センサ９１及び湿度センサ９２は、画像読取装置１０の筺体内部に配置され、画像読取装置１０内部の温度情報及び湿度情報を検出し、検出結果を制御部９０へ出力する。温度センサ９１及び湿度センサ９２は、クリーニングユニット７０を接触位置に配置させるトリガー信号を出力する信号出力部を構成している。第１原稿台１１を清掃する必要があると判定される検出結果が、トリガー信号に相当する。
【００６２】
温度センサ９１及び湿度センサ９２が画像読取装置１０の筺体内部に配置されているので、定着装置５０の熱の影響等によって画像読取装置１０の筐体の内側に結露しやすい環境になった場合でも、結露しやすい環境になったことが正確に検出される。
【００６３】
制御部９０は、温度センサ９１及び湿度センサ９２から入力した温度情報及び湿度情報に基づいて、第１原稿台１１の下面が結露しやすい環境であるか否かを判定する。
【００６４】
制御部９０は、第１原稿台１１の下面が結露しやすい環境であると判定した場合、クリーニングユニット７０が接触位置に配置されるように変位機構部８０を制御し、光源ユニット１３を副走査方向Ｘに所定回数だけ往復移動させる、清掃処理を実行する。これによって、第１原稿台１１の下面が清掃される。
【００６５】
制御部９０は、第１原稿台１１の下面が結露しやすい環境ではないと判定した場合、クリーニングユニット７０が離間位置に配置されるように変位機構部８０を制御する。これによって、クリーニング部材７２は第１原稿台１１の下面から離間しているので、光源ユニット１３が副走査方向Ｘに移動しても、第１原稿台１１の下面は清掃されない。
【００６６】
このように、第１原稿台１１の下面が汚れやすい環境であることが温度センサ９１及び湿度センサ９２によって自動的に検出されて、温度センサ９１及び湿度センサ９２の検出結果に基づいて選択されたタイミング即ち清掃の必要があると判定されたタイミングでのみ、清掃処理が実行される。清掃処理は、用紙への画像形成処理が行われていないタイミングで実行される。
【００６７】
また、制御部９０は、クリーニングユニット７０を接触位置に配置した状態で光源ユニット１３を副走査方向Ｘに移動させる場合、吐出部７５からクリーニング液を第１原稿台１１へ向けて噴射させる。
【００６８】
これによって、第１原稿台１１の下面にクリーニング液を直接的に付着させることができる。さらにクリーニング液をクリーニング部材７２で第１原稿台１１の下面に均一に塗り拡げることができる。このため、第１原稿台１１の下面をより高度に清掃することができる。また、クリーニング液として結露防止剤を用いることで長期間にわたって第１原稿台１１の結露を抑制することができる。
【００６９】
さらに、クリーニング液として石鹸水など汚れ落とし用の洗浄剤を用いた場合、クリーニング液の吐出量及び吐出タイミングを調整することで、第１原稿台１１の下面にクリーニング液を吐出しつつクリーニング液をクリーニング部材７２で払拭することもできる。
【００７０】
したがって、選択したタイミングでのみ第１原稿台１１を清掃することができ、クリーニング部材７２の摩耗、及びクリーニング液の無駄を抑制することができる。
【００７１】
なお、温度センサ９１及び湿度センサ９２は、画像読取装置１０の内部の環境情報を検出する検出センサの一例であり、他の環境情報を検出するセンサを用いて変位機構部８０の駆動タイミングを判断するように構成することもできる。検出センサの他の例として、画像読取装置１０内部の塵埃の量を検出する光センサが挙げられる。
【００７２】
また、画像センサ１６として、ＣＣＤに代えてＣＩＳ（Contact ImageSensor）を用い、画像センサ１６を光源ユニット１３に搭載するように構成した場合にも、本発明を適用することができる。
【００７３】
さらに、タンク収容部７３、ホース７４、及び複数の吐出部７５といった吐出機構部は、この発明の必須構成要件ではなく、第１原稿台１１にクリーニング液を付着させずにクリーニング部材７２で清掃した場合でも、第１原稿台１１の下面の汚れを取る効果が奏される。
【００７４】
第２実施形態に係る画像読取装置は、クリーニング液をクリーニング部材に浸み込ませるように構成されている。
【００７５】
吐出部７５は、クリーニング部材７２の内部に開口している。吐出部７５からクリーニング液が吐出されることで、クリーニング液はクリーニング部材７２に浸み込む。
【００７６】
これによって、クリーニング液を第１原稿台１１の下面へクリーニング部材７２を介して間接的に付着させることができる。クリーニング液は、クリーニング部材７２が第１原稿台１１の下面に接触しつつ副走査方向Ｘに移動することで、第１原稿台１１の下面に均一に塗り拡げられる。
【００７７】
なお、吐出部７５は、開口部がクリーニング部材７２の側面に当接するように構成することもできる。
【００７８】
第３実施形態に係る画像読取装置は、クリーニングユニット７０を接触位置に配置させる旨の入力操作を受け付ける操作部９３を備えるように構成される。このため、ユーザの入力操作によって、ユーザが選択したタイミングで清掃処理を実行させることができる。操作部９３は、クリーニングユニット７０を接触位置に配置させるトリガー信号を出力する信号出力部を構成している。
【００７９】
上述の実施形態のそれぞれの技術的特徴を互いに組み合わせることで、新たな実施形態を構成することが考えられる。
【００８０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８１】
１０…画像読取装置
１１…第１原稿台
１３…光源ユニット
１６…画像センサ
７０…クリーニングユニット
７２…クリーニング部材
８０…変位機構部
９０…制御部
９１…温度センサ
９２…湿度センサ
【図１】
2016218332.tif 000003
【図２】
2016218332.tif 000004
【図３】
2016218332.tif 000005
【図４】
2016218332.tif 000006
【図５】
2016218332.tif 000007